(57)【要約】【課題】本発明は、的確に、各々のユーザが好みの放送を自動的に視聴することができる受信装置を提供することを目的とする。【解決手段】この目的を達成する為に本発明の受信装置１は、放送を選択的に受信する受信部３と、この受信部３に放送を選択的に受信させる制御部７と、この制御部７に接続されると共に特定ユーザを検知する検知部８と、制御部７に接続されると共に特定ユーザに対応した放送の識別情報を記憶する記憶部９とを有する。そして、検知部８が特定ユーザを検知した場合、制御部７は、記憶部９に記憶された識別情報に基づいて、受信部３に放送を選択的に受信させる。この構成により、受信部３は、ユーザごとに好みの放送を自動的に受信することができ、各々のユーザは的確に好みの放送を自動的に視聴することができる。【選択図】図１
2007158754.tif 000002
【特許請求の範囲】
【請求項１】
放送を選択的に受信する受信部と、
この受信部に放送を選択的に受信させる制御部と、
この制御部に接続されると共に特定ユーザを検知する検知部と、
前記制御部に接続されると共に前記特定ユーザに対応した放送の識別情報を記憶する記憶部とを有し、
前記検知部が特定ユーザを検知した場合、前記制御部は、前記記憶部に記憶された前記識別情報に基づいて、前記受信部に放送を選択的に受信させる受信装置。
【請求項２】
前記記憶部には放送番組表が記憶され、前記制御部は、前記記憶部に記憶された前記放送番組表を参照することにより、前記受信部に放送を選択的に受信させる請求項１に記載の受信装置。
【請求項３】
前記制御部に接続されると共にユーザが好みの放送の識別情報を入力する識別情報入力部を有し、前記制御部は、前記識別情報入力部に入力された前記好みの放送を選択的に前記受信部に受信させる請求項１に記載の受信装置。
【請求項４】
前記制御部に接続されると共にユーザが移動目的を入力する移動目的入力部を有し、
前記制御部は、さらに前記入力部に入力された前記移動目的に基づいて、前記受信部に放送を選択的に受信させる請求項１に記載の受信装置。
【請求項５】
前記記憶部は、前記受信部が放送を受信した日時情報をさらに記憶し、
前記制御部は、さらに前記記憶部に記憶された前記日時情報に基づいて、前記受信部に放送を選択的に受信させる請求項１に記載の受信装置。
【請求項６】
前記制御部は、現在の日時と同じ曜日で同じ時刻に前記特定ユーザが最近視聴した放送を前記受信部に選択的に受信させる請求項５に記載の受信装置。
【請求項７】
前記制御部は、前記特定ユーザが頻繁に視聴する放送を前記受信部に選択的に受信させる請求項１に記載の受信装置。
【請求項８】
前記放送の識別情報は、放送のジャンル情報である請求項１に記載の受信装置。
【発明の詳細な説明】
【技術分野】
【０００１】
本発明は、放送を受信する受信装置に関するものである。
【背景技術】
【０００２】
以下、従来の受信装置について図４を用いて説明する。受信装置１０１は、例えば、車に搭載されるデジタルテレビ放送受信装置である。この受信装置１０１は、アンテナ１０２と、このアンテナ１０２を用いて放送を選択的に受信する受信部１０３と、この受信部１０３が受信した信号を復調する復調部１０４と、この復調部１０４が復調した信号をデコードする信号処理部１０５と、この信号処理部１０５がデコードした放送を再生する再生部１０６とを有する。また、受信装置１０１は、受信部１０３と復調部１０４と信号処理部１０５とに接続されると共に受信部１０３に放送を選択的に受信させる制御部１０７と、この制御部１０７に接続されると共にユーザの好みの放送の識別情報を記憶する記憶部１０９とを有する。
【０００３】
また、制御部１０７は記憶部１０９に記憶されたユーザの好みの放送の識別情報を読み出して、この放送を受信部１０３に選択的に受信させる。これにより、ユーザが受信装置１０１を使用するときに、ユーザが選局操作をする手間を省略することができる。
【０００４】
なお、この出願の発明に関連する先行技術文献情報としては、例えば、特許文献１や特許文献２が知られている。
【特許文献１】特開平１１−３１２９５６号公報
【特許文献２】特開２００３−３４７９５０号公報
【発明の開示】
【発明が解決しようとする課題】
【０００５】
しかしながら、例えば、車に搭載されている受信装置１０１を複数のユーザで共有する場合、好みの番組は、受信装置１０１を使用するユーザごとに異なることが多く、各々のユーザは好みの放送を的確に自動的に視聴することができないという問題があった。
【０００６】
そこで本発明は、的確に、各々のユーザが好みの放送を自動的に視聴することができる受信装置を提供することを目的とする。
【課題を解決するための手段】
【０００７】
この目的を達成するために本発明の受信装置は、放送を選択的に受信する受信部と、この受信部に放送を選択的に受信させる制御部と、この制御部に接続されると共に特定ユーザを検知する検知部と、制御部に接続されると共に特定ユーザに対応した放送の識別情報を記憶する記憶部とを有する。また、検知部が特定ユーザを検知した場合、制御部は、記憶部に記憶された識別情報に基づいて、受信部に放送を選択的に受信させる。
【発明の効果】
【０００８】
上記構成により、受信部は、ユーザごとに好みの放送を自動的に受信することができ、各々のユーザは的確に好みの放送を自動的に視聴することができる。
【発明を実施するための最良の形態】
【０００９】
（実施の形態１）
以下、本発明における実施の形態１について図１を用いて説明する。図１は本発明の実施の形態１における受信装置のブロック図である。
【００１０】
図１において、受信装置１は、例えば、車に搭載されるデジタルテレビ放送受信装置、もしくはデジタルラジオ放送受信装置である。この受信装置１は、アンテナ２と、このアンテナ２を用いて放送を選択的に受信する受信部３と、この受信部３が受信した信号を復調する復調部４と、この復調部４が復調した信号をデコードする信号処理部５と、この信号処理部５がデコードした放送を再生する再生部６とを有する。また、受信装置１は、受信部３と復調部４と信号処理部５とに接続されると共に、受信部３に放送を選択的に受信させる制御部７を有する。
【００１１】
さらに受信装置１は、制御部７に接続されると共に複数のユーザの内から特定ユーザを検知し、検知した特定ユーザごとの固有情報を制御部７に出力する検知部８を有する。なお、検知部８は、特定ユーザの手動入力により特定ユーザを検知しても良いし、特定ユーザを自動的に検知しても良い。後者の場合は、特定ユーザが特に煩雑な操作をすることなく、制御部７が特定ユーザを識別することが可能になる。検知部８として、例えば、指紋識別装置、ユーザの体重を検知する重量センサ、ユーザの声を認識する音声識別装置、ユーザごとに所持している車の鍵に貼付されたバーコードを読み取る装置が挙げられる。
【００１２】
また、受信装置１は、制御部７に接続されると共に特定ユーザと放送のジャンル情報とを対応付けたテーブルを記憶する記憶部９を有する。なお、放送のジャンル情報は、放送の識別情報の一種であり、この放送の識別情報は、デジタルテレビ放送におけるヘッダに含まれている。
【００１３】
この記憶部９に記憶されたテーブルは、例えば、（表１）に示すように、ユーザの固有情報と、このユーザの視聴頻度順に並べられた放送のジャンル情報とを対応付けたものである。
【００１４】
【表１】
2007158754.tif 000003
【００１５】
例えば、（表１）に示すテーブルから、ユーザＡが頻繁に視聴するジャンルは、視聴頻度順にニュース、野球、音楽であることが分かる。
【００１６】
次に、受信装置１の動作について、図２を用いて説明する。
【００１７】
ステップＳ１において、ユーザＡが受信装置１の電源をオンにすると、ステップＳ２において、検知部８は、このユーザＡを検知し、ユーザＡの固有情報を生成する。検知部８で生成されたユーザＡの固有情報は制御部７に出力される。
【００１８】
次に、ステップＳ３において、制御部７は、記憶部９を参照し、このユーザＡの固有情報が記憶部９に記憶されているか否かを判断する。判断の結果、ユーザＡの固有情報が記憶部９に記憶されている場合、ステップＳ４において、制御部７は、現在視聴可能な放送の中から、ユーザＡの頻繁に視聴するジャンルの放送を選択し、この放送を受信部３に選択的に受信させる。このとき、制御部７が上記放送を選択する方法として、例えば以下の２通り考えられる。１つめの方法は、現在視聴可能な放送を順に受信・復調し、復調した放送のヘッダに含まれているジャンル情報を制御部７が確認することにより、放送を選択する方法である。２つめの方法は、記憶部９に放送番組表が記憶されており、制御部７がこの放送番組表を参照することにより放送を選択する方法である。この２つめの方法により、現在視聴可能な放送を順に受信・復調しなくても良いので、制御部７が放送を選択する時間を短縮することができる。
【００１９】
一方、ステップＳ３における判断の結果、ユーザＡの固有情報が記憶部９に記憶されてない場合、ステップＳ５において、制御部７は、ユーザＡの固有情報と、ユーザＡが選択する放送のジャンル情報とを記憶部９に書き込む。
【００２０】
次にユーザＢが検知部８で検知された場合には、ユーザＢが予め入力しておいたジャンルの放送が選択され、ユーザＢはその放送を視聴することができる。
【００２１】
以上の構成により、受信部３はユーザごとに頻繁に視聴するジャンルの放送を自動的に受信することができ、各々のユーザは的確に好みの放送を自動的に視聴することができる。
【００２２】
なお、受信装置１は、制御部７に接続されると共にユーザが任意に好みのジャンルを入力する識別情報入力部（図示せず）を有し、ステップＳ４において、制御部７は、現在視聴可能な放送の中から、識別情報入力部に入力されたジャンルの放送を選択し、この放送を受信部３に選択的に受信させても良い。これにより、受信部３はユーザごとに好みのジャンルの放送を自動的に受信することができ、各々のユーザは的確に好みの放送を自動的に視聴することができる。
【００２３】
また、図３に示すように、受信装置１は、制御部７に接続されると共にユーザが移動目的を入力する移動目的入力部１０を有し、ステップＳ４において、制御部７は、移動目的入力部１０から供給されたユーザの移動目的情報に基づいて、受信部３に放送を選択的に受信させても良い。ユーザが視聴したい放送は、ユーザの移動目的によって異なることが多い。例えば、ユーザの移動目的がゴルフである場合、ユーザの視聴したい放送は、ニュース放送の天気予報である。この構成により、各々のユーザは的確に移動目的に対応した好みの放送を自動的に視聴することができる。
【００２４】
（実施の形態２）
次に、本発明の実施の形態２について説明する。なお、実施の形態１と同様の構成と動作については、その説明を簡略化し、特徴部分について詳細に説明する。
【００２５】
実施の形態２における記憶部９は、例えば、（表２）に示すように、ユーザの固有情報と、曜日情報と時刻情報とからなる日時情報と、当該ユーザが当該日時に最近視聴した放送の識別情報とをさらに対応付けたテーブルを記憶する。
【００２６】
【表２】
2007158754.tif 000004
【００２７】
例えば、（表２）に示すテーブルから、ユーザＡが月曜日の８：００から９：００に最近視聴した放送は、識別情報が０×ＣＥ０１で表される放送であることが分かる。
【００２８】
次に、実施の形態２における受信装置１の動作を、図２を用いて説明する。
【００２９】
ステップＳ２において、制御部７は、検知部８で生成されたユーザＡの固有情報と、現在日時を計時する計時部（図示せず）からの日時情報とを受ける。
【００３０】
次に、ステップＳ３において、制御部７は、記憶部９を参照し、ユーザＡが現在の日時と同じ曜日で同じ時刻に最近視聴した放送の識別情報が記憶部９に記憶されているか否かを判断する。判断の結果、ユーザＡが現在の日時と同じ曜日で同じ時刻に最近視聴した放送の識別情報が記憶部９に記憶されている場合、ステップＳ４において、制御部７は、現在視聴可能な放送の中から、この放送を選択し、この放送を受信部３に選択的に受信させる。
【００３１】
一方、ステップＳ３における判断の結果、ユーザＡが現在の日時と同じ曜日で同じ時刻に最近視聴した放送の識別情報が記憶部９に記憶されていない場合、ステップＳ５において、制御部７は、検知部８からのユーザＡの固有情報と、計時部から所得した現在の日時情報と、ユーザＡが選択する放送の識別情報とを記憶部９に書き込む。
【００３２】
以上の構成により、受信部３は、ユーザごとに、各々のユーザが現在の時刻と同じ曜日で同じ時刻に最近視聴した放送を自動的に受信することができ、各々のユーザはさらに的確に好みの放送を自動的に視聴することができる。
【産業上の利用可能性】
【００３３】
本発明の受信装置は、各々のユーザが的確に好みの放送を自動的に視聴することができる受信装置であり、特に複数のユーザが使用する車に搭載された電子機器として有用である。
【図面の簡単な説明】
【００３４】
【図１】本発明の実施の形態１及び２を説明するために用いた受信装置のブロック図
【図２】本発明の実施の形態１及び２を説明するために用いた受信装置の動作フローチャート
【図３】本発明の実施の形態１を説明するために用いた受信装置のブロック図
【図４】従来の受信装置のブロック図
【符号の説明】
【００３５】
１  受信装置
２  アンテナ
３  受信部
４  復調部
５  信号処理部
６  再生部
７  制御部
８  検知部
９  記憶部
１０  移動目的入力部
【図１】
2007158754.tif 000005
【図２】
2007158754.tif 000006
【図３】
2007158754.tif 000007
【図４】
2007158754.tif 000008